(57)【要約】【課題】使用により摩耗した芯体を位置指示器の筐体から容易に引き抜くことができるようにする。【解決手段】位置指示器２に設けられた芯体９を引き抜く芯抜き器１０に、芯体９が挿入される挿入部１１を有するケース５を設ける。そして、挿入部１１に設けられ、かつこの挿入部１１に挿入された芯体９と当接して芯体９を掛止可能に形成された少なくとも１つのフック部１２とを備える。これにより、簡単な手段で位置指示器２から芯体９を引き抜くことができる芯抜き器を提供することができる。【選択図】図３
2010020544.tif 000002
【特許請求の範囲】
【請求項１】
位置指示器に設けられた芯体を引き抜く芯抜き器において、
前記位置指示器の芯体が挿入される挿入部を有する筐体と、
前記挿入部に設けられ、かつ前記挿入部に挿入された前記芯体と当接して前記芯体を掛止可能に形成された少なくとも１つのフック部と
を備えた芯抜き器。
【請求項２】
前記位置指示器を前記挿入部内に案内するガイド部を設けた
請求項１に記載の芯抜き器。
【請求項３】
前記フック部は、板状の部材からなり、少なくとも一辺が前記芯体を掛止する
請求項１又は２に記載の芯抜き器。
【請求項４】
前記フック部は、前記芯体が当接する箇所に略半円状の切り欠きが形成されている
請求項１〜３のいずれかに記載の芯抜き器。
【請求項５】
前記挿入部に、前記挿入部に挿入された前記芯体を前記フック部側に付勢する弾性部材を設けた
請求項１〜４のいずれかに記載の芯抜き器。
【請求項６】
前記挿入部は、底面部を有する凹部である
請求項１〜５のいずれかに記載の芯抜き器。
【請求項７】
前記フック部は、前記芯体と当接する一端を前記挿入部が延在する方向に向けて傾斜している
請求項１〜６のいずれかに記載の芯抜き器。
【請求項８】
前記筐体に、前記フック部を収納する収納部を設け、
前記フック部は、前記収納部に収納された状態と前記挿入部から突出する状態に移動可能に構成されている
請求項１〜７のいずれかに記載の芯抜き器。
【請求項９】
位置指示器の位置を検出する入力部及び前記位置指示器の芯体を引き抜く芯抜き器を有する筐体と、から構成され、
前記芯抜き器は、
前記筐体に設けられ、前記位置指示器の芯体が挿入される挿入部と、
前記挿入部に設けられ、かつ前記挿入部に挿入された前記芯体と当接して前記芯体を掛止可能に形成された少なくとも１つのフック部と
を備えた位置検出装置。
【請求項１０】
位置指示器を保持する保持部及び前記位置指示器の芯体を引き抜く芯抜き器を有する筐体と、から構成され、
前記芯抜き器は、
前記保持部と一体に設けられ、かつ前記位置指示器の芯体が挿入される挿入部と、
前記挿入部に設けられ、かつ前記挿入部に挿入された前記芯体と当接して前記芯体を掛止可能に形成された少なくとも１つのフック部と
を備えたペンスタンド。
【請求項１１】
位置指示器に設けられた芯体を芯抜き器の挿入部に挿入する挿入工程と、
前記挿入工程の後に、前記芯体を前記芯抜き器のフック部に押し当てて掛止する掛止工程と、
前記芯体を前記フック部に掛止した状態で、前記位置指示器の筐体を前記挿入部から離反する方向に持ち上げて、前記芯体を前記位置指示器の筐体から引き抜く工程と
を具備する位置指示器の芯体の引き抜き方法。
【発明の詳細な説明】
【技術分野】
【０００１】
本発明は、位置指示器に設けられた芯体を引き抜く芯抜き器、この芯抜き器を備えて構成される位置検出装置及びペンスタンドに関するものであり、さらに、この芯抜き器を用いた位置指示器の芯体の引き抜き方法に関するものである。
【背景技術】
【０００２】
従来、パーソナルコンピュータ装置等の情報処理装置における位置入力を行うための装置として、位置検出装置が用いられている。この位置検出装置は、例えば、ペン型に形成された位置指示器なる入力手段によりポインティング操作や文字及び図等の入力情報が入力される。
【０００３】
位置指示器を入力手段として用いた入力方式としては、位置指示器に位置検出装置から送信される特定周波数の電磁波に対して共振する共振回路を設け、この共振回路によって生じた共振信号を位置検出装置に送信することにより位置検出装置に対して位置を指示する電磁誘導方式がある。そして、この電磁誘導方式の位置指示器は、共振回路を構成する位置検出用のコイル及びコンデンサと、このコイルを貫通する芯体から構成されている（例えば、特許文献１参照）。
【０００４】
一般に、位置指示器は、使用により位置検出装置の入力面との摩擦で芯体が摩耗し、書き味が低下する。そのため、芯体が摩耗して書き味が低下すると、ユーザは、摩耗した芯体を位置指示器の筐体から引き抜いて、新しい芯体に交換していた。そして、この芯体を筐体から引き抜くには、毛抜きのような器具を用いて行われていた。
【０００５】
【特許文献１】特開平５−２７５２８３号公報
【発明の開示】
【発明が解決しようとする課題】
【０００６】
しかしながら、芯体を引き抜くには、筐体の軸方向の一端から僅かに突出する芯体を挟持しなければならない。そのため、芯体を挟持し難く、芯体を引き抜く作業が大変煩わしいものであった。そして、位置指示器の芯体を容易に引き抜くことができ、かつ管理もし易い器具が求められていた。
【０００７】
本発明の目的は、上述の問題点を考慮し、簡単な手段で位置指示器から芯体を引き抜くことができる芯抜き器、この芯抜き器を備えた位置検出装置及びペンスタンド、並びにこの芯抜き器を用いた位置指示器の芯体の引き抜き方法を提供することにある。
【課題を解決するための手段】
【０００８】
上記課題を解決し、本発明の目的を達成するため、本発明の芯抜き器は、位置指示器の芯体が挿入される挿入部を有する筐体と、挿入部に設けられ、かつ挿入部に挿入された芯体と当接して芯体を掛止可能に形成された少なくとも１つのフック部とを備えている。
【０００９】
本発明の位置検出装置は、位置指示器の位置を検出する入力部及び位置指示器の芯体を引き抜く芯抜き器を有する筐体と、から構成されている。芯抜き器は、筐体に設けられ、位置指示器の芯体が挿入される挿入部と、挿入部に設けられ、かつ挿入部に挿入された芯体と当接して芯体を掛止可能に形成された少なくとも１つのフック部とを備えている。
【００１０】
本発明のペンスタンドは、位置指示器を保持する保持部及び位置指示器の芯体を引き抜く芯抜き器を有する筐体と、から構成されえちる。芯抜き器は、前記保持部と一体に設けられ、位置指示器の芯体が挿入される挿入部と、挿入部に設けられ、かつ挿入部に挿入された芯体と当接して芯体を掛止可能に形成された少なくとも１つのフック部とを備えている。
【００１１】
また、本発明の位置指示器の芯体の引き抜き方法は、位置指示器に設けられた芯体を芯抜き器の挿入部に挿入する挿入工程と、この挿入工程の後に、芯体を芯抜き器のフック部に押し当てて掛止する掛止工程と、を具備する。更に、芯体を前記フック部に掛止した状態で、位置指示器の筐体を挿入部から離反する方向に持ち上げて、芯体を位置指示器の筐体から引き抜く工程を具備している。
【発明の効果】
【００１２】
本発明の芯抜き器、位置検出装置及びペンスタンド、並びに位置指示器の芯体の引き抜き方法によれば、位置指示器の芯体を挿入部に挿入し、フック部に引っ掛けて持ち上げることにより、極めて簡単に位置指示器から芯体を引き抜くことができる。また、本発明の位置検出装置及びペンスタンドによれば、芯抜き器を筐体に一体に形成することで、部品点数を削減することができると共にユーザが芯抜き器を別途管理する手間を省くことができる。
【発明を実施するための最良の形態】
【００１３】
以下、本発明の位置検出装置の実施形態例について、図１〜図２０を参照して説明する。なお、各図において共通の部材には、同一の符号を付している。また、本発明は、以下の形態に限定されるものではない。
【００１４】
［位置検出装置の構成］
まず、本発明が適用される位置検出装置の概略構成を図１に従って説明する。図１は、本発明が適用される位置検出装置を示す斜視図である。
この図１に示すように、本発明の実施の形態例（以下、「本例」という。）である位置検出装置１は、パーソナルコンピュータやＰＤＡ（Personal Digital Assistant）等の図示しない外部装置にケーブル８を介して接続することによって、これら外部装置の入力装置として用いられるものである。なお、特に図示して説明していないが、かかる位置検出装置１をパーソナルコンピュータ等に内蔵しても良い。
【００１５】
位置検出装置１は、入力情報が入力される入力部４と、この入力部４を有する中空の薄い略直方体をなす筐体であるケース５と、位置指示器２の芯体を引き抜く芯抜き器１０等から構成されている。ケース５は、入力部４の入力面を露出させるための開口部６を有する上ケース７と、この上ケース７に重ね合わされる図示しない下ケースを有している。そして、上ケース７は、入力部４の入力面を露出させる四角形の開口部６を有しており、この開口部６に、入力部４が嵌め込まれる。このような構成を有する位置検出装置１は、位置指示器２を介したポインティング操作による文字及び図等の入力が行われる。
【００１６】
[位置指示器の構成]
位置指示器２は、電磁誘導方式により位置検出装置１に対して位置を指示するものである。即ち、位置指示器２は、位置検出装置１から送信される特定周波数の電磁波に対して共振する、コイルとコンデンサからなる共振回路を有している。そして、この共振回路で検出した共振信号を位置検出装置１に送信することにより位置検出装置１に対して位置を指示するようになっている。位置指示器２は、中空のペン型をなす筐体３と、この筐体３に着脱可能に保持される芯体９を有している。
【００１７】
図２は、図１に示す位置指示器２のＡ−Ａ′線断面図である。
この図２に示すように、筐体３は、中空のペン型に形成されている。この筐体３は、長手方向の一端部３ｂの先端に、開口部３ａが設けられている。そして、この一端部３ｂは、略円錐状に形成されている。そして、この筐体３に芯体９が一部を筐体３の開口部３ａから外側に突出させた状態で保持されている。
【００１８】
芯体９は、棒状の部材からなり、軸方向の一端にペン先の役割を有する指示部９ａと、軸方向の他端に基端部９ｂとを有している。この芯体９は、筐体３の軸方向に沿って筐体３内に収納されている。指示部９ａは、略円錐状をなしており、芯体９を筐体３内に収納した際に、開口部３ａから外側に突出する。そして、この指示部９ａの反対側である基端部９ｂは、筐体３内に固定された芯ホルダ１４に取り付けられている。
【００１９】
芯ホルダ１４は、略円筒形をなしており、その筒穴１４ａに芯体９の基端部９ｂが挿入される。また、芯ホルダ１４の外周には、２つの係合部１４ｂ，１４ｂが設けられている。そして、この芯ホルダ１４は、２つの係合部１４ｂ，１４ｂを筐体３の内壁に係合して、筐体３に固定されている。
【００２０】
また、この位置指示器２は、入力時に芯体９の指示部９ａが位置検出装置１の入力部４に接触する。そして、芯体９は、樹脂等で形成されており、位置検出装置１の入力部４との摩擦により指示部９ａが摩耗する。そのため、この芯体９は、必要に応じて新しい芯体に交換されるものである。
【００２１】
１．第１の実施の形態
［芯抜き器の構成］
次に、図１、図３及び図４Ａを参照して本発明の芯抜き器の第１の実施の形態例を説明する。図３は、芯抜き器の第１の実施形態を示す斜視図、図４Ａは図３に示す芯抜き器のＢ−Ｂ′線断面図である。
【００２２】
図１、図３及び図４Ａに示すように、芯抜き器１０は、ケース５に設けられた挿入部１１と、フック部１２とから構成されている。挿入部１１は、略円柱状に凹んだ凹部であり、ケース５の開口部６から露出する入力部４の入力面と同一方向に開口している。この挿入部１１は、略円形に開口された開口部１１ａと、開口部１１ａと対向する略円形の底面部１１ｂと、この底面部１１ｂの外縁から略垂直をなして上方に連続する側面部１１ｃとを有している。その結果、挿入部１１が底面部１１ｂと側面部１１ｃを有することで、挿入部１１からゴミや埃等が位置検出装置１のケース５の内部に侵入することを防止することができる。
【００２３】
この挿入部１１は、開口部１１ａの直径が位置指示器２の芯体９の直径よりもやや大きく設定されている。また、挿入部１１の深さは、位置指示器２の筐体３の開口部３ａから突出する芯体９の指示部９ａの長さとほぼ等しく、あるいはやや長く設定されている。更に、挿入部１１の側面部１１ｃには、平板状のフック部１２が配設されている。そして、この挿入部１１に、芯体９の指示部９ａが挿入される。
【００２４】
フック部１２は、挿入部１１の側面部１１ｃに対して略垂直に突出している。また、このフック部１２は、芯体９と当接する側の一辺に刃を有する板状部材である。すなわち、フック部１２における芯体９と当接する一辺は、断面が鋭角に形成されている。これにより、芯体９をフック部１２に押し当てたときに、フック部１２の一辺が芯体９の指示部９ａに食い込み、芯体９を掛止することができる。
【００２５】
なお、挿入部１１は、略円柱状に凹んだ凹部だけでなく、角柱状や円錐台形状に凹んだ凹部でもよく、位置指示器２の芯体９を挿入することができれば、その目的を達成できるものである。更に、挿入部１１は、ケース５を上下方向に貫通する貫通孔でもよい。なお、挿入部１１を、ケース５を貫通する孔部として形成する場合、ケース５に収納されている電子基板等を避けて形成することが望ましい。
【００２６】
また、本例では、フック部１２を一辺に刃を設けた例を説明したが、平板状のフック部における芯体９と当接する一辺が芯体９を掛止できればよい。更に、フック部１２を板状部材として説明したが、針状に形成してもよい。なお、フック部１２の材質としては、芯体９が押し当てられた際に変形することを防ぐために、芯体９よりも硬い材質であることが好ましく、金属やエンジニアリングプラスチック等が挙げられる。
【００２７】
更に、芯抜き器１０をケース５における入力部４の入力面と同一方向である正面部に設けたが、芯抜き器１０は、ケース５の側面部あるいは入力部４の入力面とは反対側であるケース５の背面側に設けてもよい。そして、芯抜き器１０を位置検出装置１と別部材として構成してもよい。
【００２８】
また、図５は、芯体の他の具体例を示すものである。
この図５に示すように、芯体９Ｂは、指示部９ａＢに凹み９ｂＢが設けられている。そして、この凹み９ｂＢに芯抜き器１０のフック部１２が掛止される。
【００２９】
［芯体の交換作業］
このような構成を有する芯抜き器１０による位置指示器２の芯体９の交換作業を、図２、図４Ａ、図４Ｂ及び図６を参照して説明する。
まず、図４Ｂに示すように、位置指示器２における芯体９の指示部９ａを挿入部１１に挿入する（挿入工程）。次に、矢印Ａに示すように、芯体９の指示部９ａを挿入部１１の側面部１１ｃに設けたフック部１２に押し当てて、指示部９ａをフック部１２に引っ掛ける（掛止工程）。そして、指示部９ａをフック部１２に引っ掛けた状態で、図４Ｂ及び図６に示すように、位置指示器２をケース５から離反する方向（矢印Ｂの方向）に持ち上げる（引き抜き工程）。これにより、芯ホルダ１４の筒穴１４ａから芯体９の基端部９ｂが外れ、芯体９が筐体３から引き抜かれる。
【００３０】
次に、ユーザは、位置指示器２の筐体３の開口部３ａから、新しい芯体９を挿入する。そして、図２に示すように、芯体９の基端部９ｂを芯ホルダ１４の筒穴１４ａに嵌合させる。これにより、芯体９が芯ホルダ１４に保持されて、位置指示器２に新しい芯体９を取り付けることができる。その結果、位置指示器２の芯体９の交換作業が完了する。
【００３１】
このように、挿入部１１に芯体９を挿入してフック部１２に掛止することで、芯体９を筐体３から極めて容易に引き抜くことできる。また、位置検出装置１のケース５に芯抜き器１０を一体に設けたことにより、部品点数を削減することができ、ユーザが芯抜き器を別途管理する手間を省くことができる。さらに、芯抜き器１０の挿入部１１は、入力部４の入力面と同一方向に開口している。その結果、ケース５を裏返したりすることなく、ケース５の姿勢を入力操作時と同一姿勢で芯体９の引き抜き動作を行うことができる。
【００３２】
２．第２の実施の形態
次に、図７を参照して芯抜き器の第２の実施の形態例について説明する。図７は、本発明の芯抜き器の第２の実施の形態を示す断面図である。
図７に示すように、第２の実施の形態の芯抜き器２０に係るフック部２２は、挿入部２１の側面部２１ｃから底面部２１ｂに向けて傾斜して配設されている。
【００３３】
従って、第２の実施の形態に係る芯抜き器２０は、芯体９を挿入部２１に挿入して引き抜くときに、芯体９がフック部２２の一端に当接し易い。そのため、芯体９をフック部２２に押し当てることなく、フック部２２に芯体９を掛止させることができる。その結果、この第２の実施の形態に係る芯抜き器２０は、第１の実施の形態に係る芯抜き器１０よりも簡単に位置指示器２の芯体９を引き抜くことが可能である。
【００３４】
その他の構成は、第１の実施の形態にかかる芯抜き器１０と同様であるため、それらの説明は省略する。このような構成を有する芯抜き器２０によっても、前述した第１の実施の形態にかかる芯抜き器１０と同様の作用効果を得ることができる。
【００３５】
３．第３の実施の形態
次に、図８を参照して芯抜き器の第３の実施の形態例について説明する。図８は、本発明の芯抜き器の第３の実施の形態を示す断面図である。
この第３の実施の形態に係る芯抜き器３０は、フック部３２を２つ設けたものである。すなわち、図８に示すように、挿入部３１の一側に第１のフック部３２ａが配設され、この第１のフック部３２ａと対向するように挿入部３１の他側に第２のフック部３２ｂが配設されている。前述した第２の実施の形態に係るフック部２２と同様に、第１のフック部３２ａ及び第２のフック部３２ｂは、芯体９と当接する一端を挿入部３１の底面部３１ｂ側に向けて取り付けられている。
【００３６】
これにより、位置指示器２の芯体９を挿入部３１に挿入するときに、第１及び第２のフック部３２ａ，３２ｂにガイドされるようにして芯体９を挿入することができる。また、挿入部３１の側面部３１ｃの一側または他側のどちらに芯体９を押し当てても芯体９をフック部３２に掛止させることができる。
【００３７】
その他の構成は、第１の実施の形態にかかる芯抜き器１０と同様であるため、それらの説明は省略する。このような構成を有する芯抜き器３０によっても、前述した第１の実施の形態にかかる芯抜き器１０と同様の作用効果を得ることができる。
【００３８】
４．第４の実施の形態
次に、図９及び図１０を参照して芯抜き器の第４の実施の形態例について説明する。図９は、本発明の芯抜き器の第４の実施の形態を示す斜視図、図１０は、図９に示す芯抜き器のＣ−Ｃ′線断面図である。
【００３９】
図９及び図１０に示すように、第４の実施の形態に係る芯抜き器４０は、挿入部４１の開口部４１ａの外縁にこの開口部４１ａと同心円状をなして形成されたガイド部４３が設けられている。ガイド部４３は、挿入部４１の開口部４１ａの外縁から円弧状に形成されている。そして、ガイド部４３の形状は、位置指示器２における筐体３の開口部３ａ側である軸方向の一端部の形状に対応している。そのため、位置指示器２を挿入部４１に挿入する際に、ガイド部４３に一端部３ｂが当接する。そして、このガイド部４３に沿って位置指示器２の芯体９が挿入部４１まで案内される。これにより、ユーザが位置指示器２の芯体９を交換する際に、芯体９の指示部９ａをスムースに挿入部４１に挿入することができる。
【００４０】
その他の構成は、第１の実施の形態にかかる芯抜き器１０と同様であるため、それらの説明は省略する。このような構成を有する芯抜き器４０によっても、前述した第１の実施の形態にかかる芯抜き器１０と同様の作用効果を得ることができる。
【００４１】
５．第５の実施の形態
次に、図１１を参照して芯抜き器の第５の実施の形態例について説明する。図１１は、本発明の芯抜き器の第５の実施の形態を示す斜視図である。
図１１に示すように、第５の実施の形態に係る芯抜き器５０は、フック部５２における芯体９の指示部９ａと当接する一端に略半円状の切り欠き５２ａを設けたものである。この切り欠き５２ａの直径は、位置指示器２の芯体９の直径と略等しくなるように設定されている。
【００４２】
これにより、位置指示器２の芯体９をフック部５２側に押し当てた際に、フック部５２に設けた切り欠き５２ａに芯体９が嵌り込む。その結果、前述した第１の実施の形態に係るフック部１２よりも、フック部５２と芯体９が当接する箇所が増加し、フック部５２で芯体９を確実に掛止することができ、極めて容易に位置指示器２の筐体から芯体９を引き抜くことができる。
【００４３】
その他の構成は、第１の実施の形態にかかる芯抜き器１０と同様であるため、それらの説明は省略する。このような構成を有する芯抜き器５０によっても、前述した第１の実施の形態にかかる芯抜き器１０と同様の作用効果を得ることができる。なお、本実施の形態では、フック部５２における略半円状の切り欠き５２ａのみに刃を形成してもよい。
【００４４】
６．第６の実施の形態
次に、図１２を参照して芯抜き器の第６の実施の形態例について説明する。図１２は、本発明の芯抜き器の第６の実施の形態を示す斜視図である。
この図１２に示すように、第６の実施の形態に係る芯抜き器６０は、フック部６２における芯体９の指示部９ａと当接する一端にＶ字状の切り欠き６２ａを設けたものである。この切り欠き６２ａは、フック部６２の一端から挿入部６１における側面部６１ｃ側の他端に近づくにつれて、切り欠きの間隔が徐々に狭くなるように設定されている。
【００４５】
これにより、位置指示器２の芯体９をフック部６２側に押し当てた際に、芯体９がフック部６２の切り欠き６２ａの端面に呼び込まれるようにして切り欠き６２ａに掛止される。その結果、フック部６２の切り欠き６２ａで芯体９を確実に掛止することができ、極めて容易に芯体９を筐体３から引き抜くことができる。
【００４６】
その他の構成は、第１の実施の形態にかかる芯抜き器１０と同様であるため、それらの説明は省略する。このような構成を有する芯抜き器６０によっても、前述した第１の実施の形態にかかる芯抜き器１０と同様の作用効果を得ることができる。なお、本実施の形態では、フック部６２におけるＶ字状の切り欠き６２ａを形成する２辺に刃が形成されている。
【００４７】
７．第７の実施の形態
次に、図１３及び図１４を参照して芯抜き器の第７の実施の形態例について説明する。図１３は、本発明の芯抜き器の第７の実施の形態を示す斜視図、図１４は、図１３に示す芯抜き器のＤ−Ｄ′線断面図である。
【００４８】
図１３に示すように、第７の実施の形態に係る芯抜き器７０は、弾性部材の一具体例を示す板ばね７４を有している。板ばね７４は、挿入部７１の側面部７１ｃに配設されている。この板ばね７４は、弾性を有しており、挿入部７１に挿入された芯体９の指示部９ｃをフック部７２側へ付勢する。これにより、挿入部７１に位置指示器２の芯体９を挿入すると、図１４に示すように、芯体９の指示部９ａは、板ばね７４の弾性力によりフック部７２側に付勢されて、フック部７２と板ばね７４に挟持される。その結果、位置指示器２の芯体９をフック部７２側に押し当てる動作を省略することができ、確実に芯体９の指示部９ａをフック部７２に掛止させることができる。なお、挿入部７１に配設する弾性部材としては、板ばねの他にコイルばね等や他の弾性を有する部材を適用してもよい。
【００４９】
その他の構成は、第１の実施の形態にかかる芯抜き器１０と同様であるため、それらの説明は省略する。このような構成を有する芯抜き器７０によっても、前述した第１の実施の形態にかかる芯抜き器１０と同様の作用効果を得ることができる。
【００５０】
なお、この実施の形態に係る芯抜き器７０に、前述した第４の実施の形態に係る芯抜き器のように、挿入部の開口側の外縁に位置指示器を案内するガイド部を設けてもよいことは言うまでもない。
【００５１】
８．第８の実施の形態
次に、図１５を参照して芯抜き器の第８の実施の形態例について説明する。図１５は、本発明の芯抜き器の第８の実施の形態を示す斜視図である。
図１５に示すように、第８の実施の形態に係る芯抜き器８０は、挿入部８１を溝部として形成したものである。挿入部８１は、略長方形状に開口された開口部８１ａと、この開口部８１ａと対向する底面部８１ｂを有している。この挿入部８１は、底面部８１ｂの長手方向の他端側の一辺を除く３辺から略垂直をなして上方の開口部８１ａと連続する側面部８１ｃを有している。また、挿入部８１は、底面部８１ｂの長手方向の一端側の側面部８１ｃにフック部８２が設けられており、また長手方向の他端が開口している。
【００５２】
そして、上述した第４の実施の形態と同様に、挿入部８１の開口部８１ａの外縁に沿ってガイド部８３が設けられている。ガイド部８３は、位置指示器２における筐体３の開口部３ａ側の形状に対応するように、円弧状に形成されている。
【００５３】
その他の構成は、第１の実施の形態にかかる芯抜き器１０と同様であるため、それらの説明は省略する。このような構成を有する芯抜き器８０によっても、前述した第１の実施の形態にかかる芯抜き器１０と同様の作用効果を得ることができる。
【００５４】
この実施の形態に係る芯抜き器８０は、例えば次のようにして位置指示器２の芯体９の引き抜き動作が行われる。まず、位置指示器２の開口部３ａ側である軸方向の一端部を挿入部８１における長手方向の他端の開口側から挿入する（挿入工程）。次に、位置指示器２を挿入部８１の側面部８１ｃに設けたフック部８２側へ移動させる（矢印Ａの方向）。これにより、芯体９が側面部８１ｃに設けたフック部８２に当接して掛止される（掛止工程）。次に、ユーザは、芯体９がフック部８２に掛止された状態で位置指示器２を芯抜き器８０から離反する方向（矢印Ｂの方向）に移動させる（引き抜き工程）。これにより、位置指示器２の芯体９を容易に筐体３から引き抜きことができる。
【００５５】
なお、本実施の形態に係る芯抜き器８０によれば、挿入部８１が上方の開口部８１ａだけでなく、長手方向の他端側も開口している。これにより、挿入部８１内に塵や埃等が入り込んだ際に、挿入部８１の長手方向の他端の開口から容易に掃き出すことができる。その結果、挿入部８１に塵や埃がたまり、位置指示器２の芯体９が挿入し難くなることを抑制し、または防止することができる。
【００５６】
９．第９の実施の形態
次に、図１６を参照して芯抜き器の第９の実施の形態例について説明する。図１６は、本発明の芯抜き器の第９の実施の形態を示す斜視図である。
この図１６に示す芯抜き器９０は、上述した第８の実施の形態に係る芯抜き器８０におけるフック部８２の形状を変形させたものである。この実施の形態に係るフック部９２には、Ｖ字状の切り欠き９２ａが設けられている。これにより、位置指示器２を挿入部９１の側面部９１ｃに設けたフック部９２側へ移動させると、芯体９がフック部９２の切り欠き９２ａに呼び込まれるようにして掛止される。その結果、位置指示器２の芯体９をフック部９２で確実に掛止することができる。
【００５７】
その他の構成は、第１の実施の形態にかかる芯抜き器１０と同様であるため、それらの説明は省略する。このような構成を有する芯抜き器９０によっても、前述した第１の実施の形態にかかる芯抜き器１０と同様の作用効果を得ることができる。更に、この第９の実施の形態に係る芯抜き器９０における位置指示器２の芯体９の引き抜き動作は、上述した第８の実施の形態に係る芯抜き器８０における動作と同様であるため、その説明は省略する。
【００５８】
１０．第１０の実施の形態
次に、図１７Ａ及び図１７Ｂを参照して芯抜き器の第１０の実施の形態例について説明する。図１７Ａ及び図１７Ｂは、本発明の芯抜き器の第１０の実施の形態を示す断面図である。
図１７Ａ及び図１７Ｂに示すように、第１０の実施の形態に係る芯抜き器１００は、フック部を挿入部の側面部から進退移動可能に構成したものである。すなわち、芯抜き器１００は、フック部１０２が収納され且つ移動可能に挿通される収納部１０３を有している。収納部１０３は、挿入部１０１の側面部１０１ｃから筐体であるケース５の側面部まで連続して開口している。そして、この収納部１０３にフック部１０２が進退移動可能に収納されている。
【００５９】
また、フック部１０２は、抜け止め片１０４と、スライド釦１０５とを有している。抜け止め片１０４は、フック部１０２の一面から一方に向けて突出している。この抜け止め片１０４は、収納部１０３の側壁に当接することで、フック部１０２が収納部１０３から抜け落ちることを防止している。また、フック部１０２における刃が設けられた先端部１０２ａとは反対側である基端部１０２ｂには、スライド釦１０５が設けられている。このスライド釦１０５を図１７Ａに示す矢印Ｓの方向へ押すことにより、図１７Ｂに示すように、フック部１０２が、収納部１０３内を移動して挿入部１０１の側面部１０１ｃから突出する。また、このスライド釦１０５を引っ張ることにより、フック部１０２が、収納部１０３に収納される。
【００６０】
その他の構成は、第１の実施の形態にかかる芯抜き器１０と同様であるため、それらの説明は省略する。このような構成を有する芯抜き器１００によっても、前述した第１の実施の形態にかかる芯抜き器１０と同様の作用効果を得ることができる。
【００６１】
この実施の形態に係る芯抜き器１００は、例えば次のようにして位置指示器２の芯体９の引き抜き動作が行われる。まず、図１７Ａに示すように、フック部１０２が収納部１０３に収納されている状態で、挿入部１０１に位置指示器２の芯体９の指示部９ａを挿入する。次に、図１７Ｂに示すように、フック部１０２のスライド釦１０５を矢印Ｓの方向へ押圧して、フック部１０２を挿入部１０１の側面部１０１ｃから突出させる。これにより、フック部１０２が芯体９の指示部９ａと掛止する。そして、この状態で位置指示器２を芯抜き器１００から離反することで、芯体９が位置指示器２から引き抜かれる。
【００６２】
また、フック部１０２の先端部１０２ａを挿入部１０１の側面部１０１ｃから突出させた状態で、フック部１０２の位置を固定する固定部材を設けてもよい。これにより、フック部１０２が芯体９に押されて収納部１０３内に引っ込むことを防止でき、確実にフック部１０２を芯体９の指示部９ａに掛止させることができる。
【００６３】
なお、この実施の形態に係る芯抜き器１００に、前述した第２及び第３の実施の形態に係る芯抜き器のように、フック部に切り欠きを形成してもよく、更に第４の実施の形態に係る芯抜き器のように、位置指示器を案内するガイド部を設けてよい、ことは言うまでもない。
【００６４】
１１．第１１の実施の形態
次に、図１８〜図２０を参照してペンスタンドに本発明の芯抜き器を備えた例について説明する。図１８及び図１９は芯抜き器を備えたペンスタンドを示す斜視図、図２０は図１８に示すペンスタンドのＥ−Ｅ′線断面図である。
【００６５】
［ペンスタンドの構成］
この図１８〜図２０に示すように、この実施の形態に係るペンスタンド１１０は、ペン型の位置指示器２を未使用時に立て掛けるものである。ペンスタンド１１０は、略円錐台形状の筐体である本体１１１と、芯抜き器１２０（図２０を参照）とから構成されている。本体１１１は、略円形の底面部１１１ａと、この底面部１１１ａと対向して配置される上面部１１１ｂと、底面部１１１ａと上面部１１１ｂを接続する側面部１１１ｃを有している。上面部１１１ｂは、略半球状に凹んでおり、その略中央に位置指示器２を保持する保持部１１２が設けられている。なお、本体１１１の形状は、略円錐台形状に限定されるものではなく、角柱状や円柱状等に形成してもよい。
【００６６】
図２０に示すように、保持部１１２は、本体１１１の上面部１１１ｂの略中央から略円錐形状に凹んだ凹部である。この保持部１１２は、本体１１１の上面部１１１ｂから底面部１１１ａまで開口している。また、保持部１１２には、位置指示器２を保持する板バネ１１３が設けられている。これにより、図１９及び図２０に示すように、この保持部１１２に位置指示器２を、一端部３ｂ側から挿入することで、板バネ１１３に挟持されて位置指示器２を立て状態で保持することができる。また、この保持部１１２には、本体１１１の底面部１１１ａ側に芯抜き器１２０が連続して一体に設けられている。
【００６７】
［芯抜き器の構成］
図２０に示すように、芯抜き器１２０は、保持部１１２と連続して一体に形成された挿入部１２１と、この挿入部１２１に配設されたフック部１２２とから構成されている。その他の構成は、第１の実施の形態にかかる芯抜き器１０と同様であるため、それらの説明は省略する。
【００６８】
また、芯体９を引き抜くときには、保持部１１２に保持されている位置指示器２を芯抜き器１２０の挿入部１２１側に押し込む。これにより、保持部１１２に設けた板バネ１１３が位置指示器２に押されて弾性変形する。そして、位置指示器２の芯体９が、芯抜き器１２０の挿入部１２１に挿入されると共にフック部１２２に掛止される。
【００６９】
ペンスタンド１１０の本体１１１と芯抜き器１２０を一体に形成することにより、芯抜き器の部品点数を削減することができるだけでなく、位置指示器２をペンスタンド１１０に保持した状態から、位置指示器２の芯体９を引き抜くことができる。なお、この実施の形態に係るペンスタンド１１０においても、前述した第１０の実施の形態例に係る芯抜き器のように、フック部１２２をスライド移動させる機構を設けてもよい。
【００７０】
なお、本発明は前述しかつ図面に示した実施の形態に限定されるものではなく、特許請求の範囲に記載した発明の要旨を逸脱しない範囲内で種々の変形実施が可能である。また、フック部における芯体と当接する辺を直線状あるいは曲線状に形成した例を説明したが、芯体と当接する一辺を鋸刃状に形成してもよい。さらに、上述した実施の形態例では、検出方式として電磁誘導方式の位置指示器を用いた例を説明したが、芯体が交換可能な位置指示器であれば、抵抗膜方式や静電容量方式等、その他各種の検出方式の位置指示器の芯体の交換に適用できるものである。
【図面の簡単な説明】
【００７１】
【図１】本発明の位置検出装置の実施の形態を示す斜視図である。
【図２】図１に示す位置指示器をＡ−Ａ′線で断面して示す説明図である。
【図３】本発明の芯抜き器の第１の実施の形態を示す斜視図である。
【図４】本発明の芯抜き器の第１の実施の形態を示すもので、図４Ａは図３に示すＢ−Ｂ′線断面図、図４Ｂは挿入部に芯体を挿入した状態を示す断面図である。
【図５】位置指示器の芯体の他の具体例の要部を拡大して示す説明図である。
【図６】本発明の芯抜き器を用いて位置指示器の芯体を引き抜いた状態を示す斜視図である。
【図７】本発明の芯抜き器の第２の実施の形態を示す断面図である。
【図８】本発明の芯抜き器の第３の実施の形態を示す断面図である。
【図９】本発明の芯抜き器の第４の実施の形態を示す斜視図である。
【図１０】本発明の芯抜き器の第４の実施の形態を示す図９のＣ−Ｃ′線断面図である。
【図１１】本発明の芯抜き器の第５の実施の形態を示す斜視図である。
【図１２】本発明の芯抜き器の第６の実施の形態を示す斜視図である。
【図１３】本発明の芯抜き器の第７の実施の形態を示す斜視図である。
【図１４】本発明の芯抜き器の第７の実施の形態を示す図１３のＤ−Ｄ′線断面図である。
【図１５】本発明の芯抜き器の第８の実施の形態を示す斜視図である。
【図１６】本発明の芯抜き器の第９の実施の形態を示す斜視図である。
【図１７】本発明の芯抜き器の第１０の実施の形態を示すもので、図１７Ａはフック部を収納させた状態を示す断面図、図１７Ｂはフック部を挿入部から突出させた状態を示す断面図である。
【図１８】本発明の芯抜き器を備えたペンスタンドの実施の形態を示す斜視図である。
【図１９】本発明のペンスタンドに位置指示器を保持させた状態を示す斜視図である。
【図２０】本発明のペンスタンドを示すもので、図１８のＥ−Ｅ′線断面図である。
【符号の説明】
【００７２】
１…位置検出装置、  ２…位置指示器、  ３…筐体、  ３ｂ…底面部、  ４…入力部、  ５…ケース（筐体）、  ６…開口部、  ７…上ケース、  ８…ケーブル、  ９…芯体、  ９ａ…指示部、  １０…芯抜き器、  １１…挿入部、  １２…フック部、  ４３…ガイド部、  ５２ａ，６２ａ…切り欠き、  ７４…板ばね、  １０４…抜け止め片、  １０５…スライド釦、  １０３…収納部、  １１０…ペンスタンド
【図１】
2010020544.tif 000003
【図２】
2010020544.tif 000004
【図３】
2010020544.tif 000005
【図４】
2010020544.tif 000006
【図５】
2010020544.tif 000007
【図６】
2010020544.tif 000008
【図７】
2010020544.tif 000009
【図８】
2010020544.tif 000010
【図９】
2010020544.tif 000011
【図１０】
2010020544.tif 000012
【図１１】
2010020544.tif 000013
【図１２】
2010020544.tif 000014
【図１３】
2010020544.tif 000015
【図１４】
2010020544.tif 000016
【図１５】
2010020544.tif 000017
【図１６】
2010020544.tif 000018
【図１７】
2010020544.tif 000019
【図１８】
2010020544.tif 000020
【図１９】
2010020544.tif 000021
【図２０】
2010020544.tif 000022